(57)【要約】【課題】  起立した樋状の注出筒片を有する継続使用容器に組付く詰め替え容器において、注出筒片により押上げられて開口を形成する中栓片が、注出筒片の上端開口部を塞がないようにすることにより、詰め替え内容物の詰め替え動作を円滑に達成することを目的とする。【解決手段】  正立姿勢の継続使用容器体１７に詰め替え容器１を倒立姿勢にして上方から嵌入組付けした際に、継続使用容器１７の注出筒片２３の押上げにより詰め替え容器１の中栓片１２を傾動変位させて、詰め替え容器１に開口Ｋを形成し、注出筒片２３と中栓片１２とにより空気通路を形成し、開口Ｋの大部分で内容物の通路を形成して円滑な気液置換動作を得、これにより内容物の円滑で速やかな詰め替え動作を得る。【選択図】  図４
2010275000.tif 000002
【特許請求の範囲】
【請求項１】
取付け筒と、該取付け筒の内側に位置する樋状の注出筒片とを有するボトル状の継続使用容器に、内容物を詰め替え補充する詰め替え容器であって、前記内容物を収納する容器体の口筒部に結合蓋を組付け、該結合蓋に、倒立姿勢で前記取付け筒に嵌入組付きするガイド筒と、前記口筒部を塞ぐ底壁に弱化部を介して連設された有底筒状の中栓片を設け、該中栓片を、前記注出筒片の突き当たりにより、前記弱化部を破断しながら傾動変位して開口を形成するものとし、前記中栓片の筒部を、撓み変形して前記注出筒片内に侵入可能とすると共に、基端に通孔状の通気欠部を開設して構成した詰め替え容器。
【請求項２】
ガイド筒の上端開口部を、着脱自在に組付く捨て栓で塞いだ請求項１に記載の詰め替え容器。
【請求項３】
取付け筒の開口端面に突き当たって、該取り付け筒に対するガイド筒の嵌入組付き限界位置を設定する突き当たり片を、前記ガイド筒の外周面に突設した請求項１または２に記載の詰め替え容器。
【発明の詳細な説明】
【技術分野】
【０００１】
本発明は、洗剤、柔軟剤、漂白剤、入浴剤等の詰め替え内容物を収納する詰め替え容器に関するもので、さらに詳言すれば、起立した樋状の注出筒片を有する継続使用容器に対して、詰め替え内容物を好適に充填する詰め替え容器に関するものである。
【背景技術】
【０００２】
容器本体の上端開口部から、内容物の注出用の樋状注出筒片を突出させた注出容器が数多く利用されており、この種の容器は計量機能部を付帯させているのが一般であるので、その分、価格が高いものとなっている。
【０００３】
このため、この種の容器を継続使用するものとし、補充すべき内容物は、安価な詰め替え容器に収納し、この詰め替え容器に収納した内容物を、継続使用容器に移し替えることにより、商品の価格を、収納容器の価格に相当する分だけ安価となるようにしている。また、詰め替え容器は、樹脂量減や減容化されることで環境にやさしいものとなる。
【０００４】
この詰め替え容器から継続使用容器への内容物の詰め替えに際して、この内容物の詰め替えは、継続使用容器に対する詰め替え容器からの内容物の注ぎ込みとなるため、液跳ねや、液ダレ等により周囲を汚してしまうことがあり、またこの内容物の注ぎ込みが終了するまで、詰め替え容器を保持し続けなければならず、詰め替え作業が気苦労の多いものとなる、と云う不満があった。
【０００５】
この不満を解消する従来技術の一つとして、特開２００４−０９９０８２号公報に示された、容器開口部に管状のノズルが突出するトランジッションキャップを備えた繰り返し使用容器に充填する詰め替え用の内容物を収納した詰め替え容器で、詰め替え容器本体を備えると共に、この容器開口縁部に沿って備えられるバックと、バックアップリングに嵌め込まれて繰り返し使用容器のトランジッションキャップの開口部周縁に着脱可能に嵌合し、ノズルが挿抜自在に挿通されるフィトジョイントと、詰め替え容器本体の開口を密封し、フィトジョイントに挿通されるノズルによって開閉される内蓋と、詰め替え容器本体の開口の内蓋外側を覆う外蓋を備える構成のものが知られている。
【０００６】
上記した従来技術にあっては、繰り返し使用容器のトランジッションキャップに対して、詰め替え容器のフィトジョイントが装着された状態で内蓋が開放されるので、内容物の液跳ねや液ダレが無いと共に、繰り返し使用容器に対して詰め替え容器が倒立姿勢で組付け保持されるので、内容物の詰め替え作業中に、詰め替え容器を保持し続ける必要がなくなる。
【０００７】
しかしながら、上記した従来技術にあっては、ノズルで押上げられて内容物の詰め替え口を形成する内蓋が、単純な平板構造であるため、この内蓋を押上げているノズルの上端開口部を殆ど塞ぐ姿勢で位置することになり、このため繰り返し使用容器に対する詰め替え容器からの内容物の詰め替え動作が円滑に達成されない、と云う問題があった。
【０００８】
すなわち、ノズルの上端開口部が内蓋により殆ど塞がれるので、詰め替えされる内容物は、ノズルの両側を通って流動することになるが、この通路は繰り返し使用容器から詰め替え容器への空気の「逃げ」通路ともなるため、詰め替え内容物と繰り返し使用容器からの排気との気液置換が円滑に達成されない、と云う問題があった。
【先行技術文献】
【特許文献】
【０００９】
【特許文献１】特開２００４−０９９０８２号公報
【発明の概要】
【発明が解決しようとする課題】
【００１０】
そこで、本発明は、上記した従来技術における問題点を解消すべく創案されたもので、起立した樋状の注出筒片を有する継続使用容器に組付く詰め替え容器において、注出筒片により押上げられて開口を形成する中栓片が、注出筒片の上端開口部を塞がないようにすることを技術的課題とし、もって詰め替え内容物の詰め替え動作を円滑に達成することを目的とする。
【課題を解決するための手段】
【００１１】
上記技術的課題を解決するための本発明の主たる構成は、
取付け筒と、この取付け筒の内側に位置する樋状の注出筒片とを有するボトル状の継続使用容器に、内容物を詰め替え補充する詰め替え容器であること、
内容物を収納する容器体の口筒部に結合蓋を組付け、この結合蓋に、倒立姿勢で継続使用容器の取付け筒と着脱自在に嵌入組付きするガイド筒と、口筒部を塞ぐ底壁に弱化部を介して連設された有底筒状の中栓片を設けること、
この中栓片を、継続使用容器の注出筒片の突き当たりにより、弱化部を破断しながら傾動変位して開口を形成するものとすること、
中栓片の筒部を、撓み変形して継続使用容器の注出筒片内に侵入可能とすると共に、基端に通孔状の通気欠部を開設して構成したこと、
にある。
【００１２】
継続使用容器に対する組付け前の詰め替え容器は、内容物を収納した容器体の口筒部を結合蓋の中栓片で密に塞いで、内容物を密収納した状態となっている。
【００１３】
この詰め替え容器を倒立姿勢として、空となった正立姿勢の継続使用容器に、継続使用容器の取付け筒に詰め替え容器のガイド筒を嵌入組付けして行くと、継続使用容器の注出筒片の先端（上端）部内に、詰め替え容器の中栓片の筒部の一部が撓み変形して侵入し、さらに取付け筒へのガイド筒の嵌入組付けを押し進めると、注出筒片の先端が中栓片に突き当たりこれを押上げるので、中栓片は弱化部を破断しながら傾動変位し、これにより詰め替え容器の結合蓋に開口が形成される。
【００１４】
この詰め替え容器の継続使用容器への組付けに際して、中栓片に設けられた通気欠部が注出筒片の溝部内に位置するように、継続使用容器に対して詰め替え容器を位置合させしておく。
【００１５】
この開口を形成した状態では、注出筒片の溝部内に中栓片の筒部の一部を撓み変形させて侵入位置させているので、注出筒片の溝部と中栓片の筒部内部は連続した通路を形成することになる。
【００１６】
このように、注出筒片の押上げにより中栓片が傾動変位して開口が形成されると、この形成された開口には、通気欠部が形成する開口部分と、注出筒片の両側の開口部分とが形成されることになり、これにより通気欠部が通気路である第二開口部分を形成し、注出筒片の両側の開口部が内容物の詰め替え通路である第一開口部分を形成することになる。
【００１７】
また、この継続使用容器に対する詰め替え容器の倒立姿勢での組付きは、詰め替え容器のガイド筒が、継続使用容器の取付け筒に嵌入組付きして不動状態となるので、手を添えなくても維持されることになる。
【００１８】
中栓片の位置を、底壁の範囲内で自由に設定することができるので、継続使用容器の注出筒片の先端に対して、弱化部を含めた中栓片を正確に対向させることができ、これにより注出筒片の押上げによる弱化部の破断および中栓片の傾動変位が、安定して確実に行われる。
【００１９】
本発明の別の構成は、上記した主たる構成に加えて、詰め替え容器のガイド筒の上端開口部を、着脱自在に組付く捨て栓で塞いだ、ものである。
【００２０】
ガイド筒の上端開口部を、着脱自在に組付く捨て栓で塞いだものにあっては、詰め替え容器が消費者の手元に届く、格納・搬送状態で、ガイド筒を閉鎖してホコリ等の侵入を阻止するので、商品としての詰め替え容器を衛生的に取扱うことができる。
【００２１】
また、本発明の別の構成は、上記した主たる構成に加えて、継続使用容器の取付け筒の開口端面に突き当たって、この取付け筒に対する詰め替え容器のガイド筒の嵌入組付き限界位置を設定する突き当たり片を、ガイド筒の外周面に突設した、ものである。
【００２２】
ガイド筒に突き当たり片を設けたものにあっては、取付け筒に対するガイド筒を組付け限界位置を突き当たり片が、詰め替え容器全体を支えた状態で設定するので、組付け限界位置を正確に設定することができると共に、ガイド筒の取付け筒に対する過剰な嵌り込みの発生を防止する。
【発明の効果】
【００２３】
本発明は、上記した構成となっているので、以下に示す効果を奏する。
本発明の主たる構成にあっては、開口が形成されると、この開口には、撓み変形して注出筒片の溝部内に侵入した筒部の通気欠部が形成する第二開口部分と、注出筒片の両側の第一開口部分とが形成されることになり、第二開口部分が通気路を形成し、第一開口部分が内容物の詰め替え通路を形成し、これにより継続使用容器と詰め替え容器との間の気液置換が、良好にかつ効率良く達成されることになる。
【００２４】
また、詰め替え時における継続使用容器に対する詰め替え容器の倒立姿勢での組付きは、不動に維持されるので、内容物の詰め替え作業を、殆ど手間を掛けることなく、簡単にかつ安全に達成することができる。
【００２５】
継続使用容器の注出筒片に対して弱化部を含めた中栓片を正確に対向させることができるので、注出筒片の押上げによる弱化部の破断および中栓片の傾動変位を、安定して確実に行わせて開口が適正に形成され、これにより内容物の良好な詰め替え動作を得ることができる。
【００２６】
ガイド筒の上端開口部を、着脱自在に組付く捨て栓で塞いだものにあっては、詰め替え容器が消費者の手元に届く、格納・搬送状態で、ガイド筒を閉鎖してホコリ等の侵入を阻止するので、詰め替え容器を衛生的に取扱うことができ、これにより商品としての詰め替え容器を安心して購入することができる。
【００２７】
ガイド筒に突き当たり片を設けたものにあっては、取付け筒に対するガイド筒の組付け限界位置を正確に設定することができると共に、ガイド筒の取付け筒に対する過剰な嵌り込みの発生を防止するので、継続使用容器に対する詰め替え容器の安定した倒立組付き状態を得ることができると共に、継続使用容器に対する詰め替え容器のカジリ組付きの発生を阻止して、安全な取扱いを得ることができる。
【図面の簡単な説明】
【００２８】
【図１】本発明の一実施形態例の要部を示す、一部縦断面図である。
【図２】継続使用容器の要部を示す、一部縦断面図である。
【図３】本発明の一実施例の組付け開始状態を示す、一部縦断面図である。
【図４】図３に示した実施例の気液置換状態を示す、一部縦断面図である。
【図５】図４中の矢視した開口状態を示す、要部平面図である。
【発明を実施するための形態】
【００２９】
以下、本発明の実施形態を、図面を参照しながら説明する。
本発明による詰め替え容器１（図１参照）は、洗剤や入浴剤等の詰め替え用内容物を収納するボトル状に構成された容器体２と、この容器体２の口筒部３に、密にアンダーカット組付けされた結合蓋４とから構成されている。
【００３０】
結合蓋４は、容器体２の口筒部３に外嵌してアンダーカット結合する組付き筒５の上端から内鍔状の頂壁６を連設し、この頂壁６の上面にガイド筒８を起立設すると共に、頂壁６の内周端縁に筒体片を介して口筒部３を塞ぐ底壁１１を連設し、この底壁１１の中央部に円形の弱化部１５を介して、円板状の本体部の上面周縁部に筒部１３を一体に起立設した中栓片１２を連設して構成されている。
【００３１】
この中栓片１２における筒部１３は、中栓片１２の本体部１２ａの周端縁部の剛性を高めて、隣接する弱化部１５の破断を達成し易くしている。
【００３２】
直線円筒状のガイド筒８の外周面には、多数の細かい縦突条９がローレット状に設けられており、またガイド筒８の外周面基端部には、複数の等しい高さの突き当たり片１０が、周方向に沿って等間隔に設けられており、そしてこのガイド筒８の上端開口部は、着脱自在に組付けられる捨て栓１６により塞がれている。
【００３３】
なお、頂壁６の下面に垂下設されて、容器体２の口筒部３に密嵌入する嵌入筒片７は、結合蓋４の口筒部３に対する密な組付きを高めるものである。
【００３４】
本発明による詰め替え容器１が組付けられる継続使用容器１７（図２参照）は、ボトル状の容器本体１８の口部に密に組付く本体キャップ１９と、この本体キャップ１９に着脱可能に螺合して、容器本体１８を開閉する計量キャップ２７を有している。
【００３５】
本体キャップ１９（図２参照）は、容器本体１８の口筒部に密に嵌入する嵌入筒２０と、この嵌入筒２０の底板２１に立設された樋状の注出筒片２３と、嵌入筒２０の上端に外鍔状に連設され、取付け筒２５を起立設した頂板２４と、この頂板２４の外周端から垂下設された装着筒２６とから構成されており、注出筒片２３が形成する溝部２３ａは、中栓片１２の外径よりも小さい曲率で形成されている。
【００３６】
底板２１は、やや後側に偏った箇所に下降傾斜したテーパ壁状をしており、その前側部分に開設された注出開口２２の開口縁に、注出筒片２３が起立設されており、この注出筒片２３の開口側部の下端が位置する底板２１の最下位の部分が、容器本体１８内への内容液の戻り口となっている。
【００３７】
取付け筒２５は、計量キャップ２７を螺合組付けする部分であり、装着筒２６は、本体キャップ１９を容器本体１８にアンダーカット結合させる部分である。
【００３８】
計量キャップ２７（図２参照）は、本体キャップ１９に組付いた状態で下半分を嵌入筒２０内に挿入する有頂筒形状をした計量筒２８と、この計量筒２８の略中央高さ位置から外鍔状に周設されたフランジ壁２９と、このフランジ壁２９の周端から垂下設されて、取付け筒２５に密に螺合する螺合筒３０とから構成されている。
【００３９】
次に、詰め替え容器１から継続使用容器１７への内容物の詰め替え動作を説明する。
計量キャップ２７を取外して正立姿勢にある継続使用容器１７の本体キャップ１９の取付け筒２５に、捨て栓１６を取去って倒立姿勢にした詰め替え容器１のガイド筒８を嵌入組付け（図３参照）して行く。
【００４０】
この継続使用容器１７に対する詰め替え容器１の組付き姿勢は、取付け筒２５に対するガイド筒８の嵌入にガイドされて達成されるので、取付け筒２５に対するガイド筒８の嵌入が進むに従って、継続使用容器１７に対する詰め替え容器１の倒立姿勢が正しい状態に矯正される。
【００４１】
取付け筒２５に対するガイド筒８の嵌入組付きにより、注出筒片２３の先端部内に、筒部１３の一部が撓み変形して侵入（図３参照）する。
【００４２】
取付け筒２５に対するガイド筒８の嵌入組付きが進行すると、注出筒片２３の先端が中栓片１２の筒部１３もしくは弱化部１５付近の底壁１１部分に突き当たり、弱化部１５に破断力を作用させるようになる。
【００４３】
取付け筒２５に対するガイド筒８の嵌入組付きがさらに進行する（図４参照）と、注出筒片２３からの押上げ力の作用により、中栓片１２が上方に押上げられて弱化部１５を破断しながら傾動変位して、底壁１１に開口Ｋを形成する。
【００４４】
この際、注出筒片２３で押上げられる中栓片１２は、注出筒片２３内に侵入した筒部１３部分の突っ張りにより大きく傾斜し、その分、開口Ｋの開口面積が大きくなる。また、筒部１３はその一部を溝部２３ａ内に侵入させているので、筒部１３と溝部２３ａとは直列に連続する状態となり、かつ注出筒片２３の溝部２３ａの開放部分には、外部からの内容物の侵入の邪魔となる堰片２３ｂが設けられているので、この筒部１３と注出筒片２３との組合せは、空気に対して良好な通過性を与えることになる。
【００４５】
形成された開口Ｋは、図５に示すように、注出筒片２３の溝部２３ａ内に位置した通気欠部１４が形成する第二開口部分Ｋ２と、注出筒片２３の両側に大きく開放して形成された第一開口部分Ｋ１とに区画される状態となるが、内容物Ｎは、流路面積の大きい両側の第一開口部分Ｋ１を自重流下するので、この流下してくる内容物Ｎに押出される状態で、継続使用容器１７内の空気が、注出筒片２３の第二開口部分Ｋ２を通って詰め替え容器１内に排出される。
【００４６】
このように、詰め替え容器１と継続使用容器１７の間の気液置換動作は、内容物が通る第一開口部分Ｋ１と気体が通る第二開口部分Ｋ２とが別々に形成されるので、息つきを生じることなく円滑にかつ効率よく達成されることになる。
【００４７】
なお、ガイド筒８の外周面には多数の縦突条９が形成されているので、この縦突条９により、嵌合組付き時におけるガイド筒８と取付け筒２５との間の摺動抵抗が小さくなり、これにより継続使用容器１７に対する詰め替え容器１の嵌合組付け操作が行い易いものとなる。
【００４８】
また、この縦突条９は、嵌合したガイド筒８と取付け筒２５との間にリーク通路を形成することになるので、内容物の詰め替え動作時に発生する圧力変動を逃がして、内容物の詰め替え動作をより円滑に行わせる。
【００４９】
さらに、図示実施例では、注出筒片２３内に撓み変形して侵入した筒部１３部分に形成された通気欠部１４の両隣に、同じような通気欠部１４を設けているので、この両隣の通気欠部１４も気体が通る開口部分を形成することになり、その分、素早い気液置換動作を得ることができる。
【産業上の利用可能性】
【００５０】
以上説明したように、本発明における詰め替え容器は、内容物用の通路部分と空気用の通路部分とを確保するものであり、気液置換を必要とする技術として、幅広い利用展開が期待できる。
【符号の説明】
【００５１】
１  ；詰め替え容器
２  ；容器体
３  ；口筒部
４  ；結合蓋
５  ；組付き筒
６  ；頂壁
７  ；嵌入筒片
８  ；ガイド筒
９  ；縦突条
１０；突き当たり片
１１；底壁
１２；中栓片
１２ａ；本体部
１３；筒部
１４；通気欠部
１５；弱化部
１６；捨て栓
１７；継続使用容器
１８；容器本体
１９；本体キャップ
２０；嵌入筒
２１；底板
２２；注出開口
２３；注出筒片
２３ａ；溝部
２３ｂ；堰片
２４；頂板
２５；取付け筒
２６；装着筒
２７；計量キャップ
２８；計量筒
２９；フランジ壁
３０；螺合筒
Ｋ  ；開口
Ｋ１；第一開口部分
Ｋ２；第二開口部分
Ｎ  ；内容物
【図１】
2010275000.tif 000003
【図２】
2010275000.tif 000004
【図３】
2010275000.tif 000005
【図４】
2010275000.tif 000006
【図５】
2010275000.tif 000007